(57)【要約】【課題】コンテンツ制作の簡略化、サービスの多様性、ユーザの利便性を図ることのできる放送サービスシステムを提供する。【解決手段】トランザクションサーバ１０３は、アプリケーションサーバ１０５からの結果情報であるXML文書等のフォーマット化されたテキストデータから、結果情報解析用リファレンスデータとの差分解析と、正規表現によるマッチングと、同じパターンで記述されたループ表現部分とを解析して必要な情報を抽出し、該情報に対して出力用テンプレートに設定された分割および整形を行い、複雑なBML文書を結果情報に合わせて自動的に生成する。斯くして、放送サービスから受信機１０２を介して送信された情報をインターネット１０４上の各種サービスプロバイダへ送信し、処理の結果を受け取り再び受信機１０２へ返す一連のインターフェース部分の、受信機１０２とサービスプロバイダ間のフォーマット変換を自動で行う。【選択図】図１
2008103799.tif 000002
【特許請求の範囲】
【請求項１】
インターネット接続手段を有し、放送波から取得したコンテンツだけでなくインターネット経由で通信から取得したコンテンツも提示することができ、且つ、各家庭等に設置されたデジタル放送用受信機と、
該受信機からインターネット経由で送られたコンテンツ取得要求に対応してインターネット上で各種サービスを提供しているアプリケーションサーバへ前記コンテンツ取得要求に応じた要求情報を送信し、該要求情報に対して上記アプリケーションサーバにて処理された結果情報を取得し、該結果情報を用いて生成した情報を前記受信機に対して通信コンテンツとして提示することができるトランザクションサーバとから成るデジタル放送サービスシステムにおいて、
前記受信機、前記トランザクションサーバ及び前記アプリケーションサーバ相互間の通信は、HTTP通信におけるPOST又はGETによるリクエストの送信とレスポンスの受信であり、
前記トランザクションサーバは前記アプリケーションサーバ上のサービス毎に設定された結果情報解析用リファレンスデータと出力用テンプレートデータとを有し、前記アプリケーションサーバからの結果情報であるXML文書、HTML文書及びCSVデータ等のフォーマット化されたテキストデータから、前記結果情報解析用リファレンスデータとの差分解析と、正規表現によるマッチングと、同じパターンで記述されたループ表現部分とを解析することにより必要な情報を抽出し、該情報に対して前記出力用テンプレートに設定された分割および整形を行い、複雑なBML文書を前記結果情報に合わせて自動的に生成するように構成したことを特徴とするデジタル放送サービスシステム。
【請求項２】
請求項１に記載のデジタル放送サービスシステムにおいて、上記要求情報とデータ放送の操作プログラムを含んだ放送コンテンツを放送し、視聴者が該放送コンテンツ上で操作することで、該放送コンテンツに含まれた要求情報が送信されることを特徴とするデジタル放送サービスシステム。
【請求項３】
請求項１に記載のデジタル放送サービスシステムにおいて、上記受信機は視聴者が情報を入力する入力手段を有し、上記データ放送の操作プログラムを含んだ放送コンテンツを受信し、視聴者の入力操作によりその入力情報に応じた要求情報が生成されて、上記トランザクションサーバへ送信されることを特徴とするデジタル放送サービスシステム。
【発明の詳細な説明】
【技術分野】
【０００１】
本発明はデジタル放送サービスシステムに係り、より具体的には、地上波デジタル放送などの通信コンテンツを視聴者に提示できるデジタル放送サービスシステムに関するものである。
【背景技術】
【０００２】
従来、地上波デジタル放送などの放送局において、あらかじめ制作したBMLコンテンツを通信サーバにて通信コンテンツとして提示する形態のサービスは既に利用されている。また、特開2006-072740号公報記載の「インターネット接続機能を備えたデジタル放送用受信機のためのインターネットメッセージ管理方法、及び、装置」に開示されている如く、電子メールのような特別なコンテンツを自動で処理し、デジタル放送用受信機に提示する仕組みは以前から種々提案されている。
【特許文献１】特開2006-072740号公報
【発明の開示】
【発明が解決しようとする課題】
【０００３】
しかしながら、前記放送局にて視聴者の嗜好に応じた各種コンテンツをあらかじめ制作して準備することは、多くの手間やコストを必要とするために実施が困難であり、また、電子メールのような特別なコンテンツは、これを様々な番組で応用することが技術的に難しく、限られた番組や視聴者が満足するものしか提供できないという問題があった。
【０００４】
本発明は上記の点に鑑みてなされたもので、インターネット上の様々なサービスを利用して、視聴者の嗜好に応じたコンテンツとして自動配信でき、各種番組に容易に応用しうるデジタル放送サービスシステムを提供することを目的とする。
【課題を解決するための手段】
【０００５】
本発明は上記目的を達成するために提案されたものであり、請求項１記載の発明は、インターネット接続手段を有し、放送波から取得したコンテンツだけでなくインターネット経由で通信から取得したコンテンツも提示することができ、且つ、各家庭等に設置されたデジタル放送用受信機と、該受信機からインターネット経由で送られたコンテンツ取得要求に対応してインターネット上で各種サービスを提供しているアプリケーションサーバへ前記コンテンツ取得要求に応じた要求情報を送信し、該要求情報に対して上記アプリケーションサーバにて処理された結果情報を取得し、該結果情報を用いて生成した情報を前記受信機に対して通信コンテンツとして提示することができるトランザクションサーバとから成るデジタル放送サービスシステムにおいて、前記受信機、前記トランザクションサーバ及び前記アプリケーションサーバ相互間の通信は、HTTP通信におけるPOST又はGETによるリクエストの送信とレスポンスの受信であり、前記トランザクションサーバは前記アプリケーションサーバ上のサービス毎に設定された結果情報解析用リファレンスデータと出力用テンプレートデータとを有し、前記アプリケーションサーバからの結果情報であるXML文書、HTML文書及びCSVデータ等のフォーマット化されたテキストデータから、前記結果情報解析用リファレンスデータとの差分解析と、正規表現によるマッチングと、同じパターンで記述されたループ表現部分とを解析することにより必要な情報を抽出し、該情報に対して前記出力用テンプレートに設定された分割および整形を行い、複雑なBML文書を前記結果情報に合わせて自動的に生成するように構成したデジタル放送サービスシステムを提供する。
【０００６】
この構成によれば、前記受信機、トランザクションサーバ及びアプリケーションサーバ間の相互通信は、HTTP通信におけるPOST又はGETによるリクエストの送信とレスポンスの受信にて行われる。又、前記トランザクションサーバは、アプリケーションサーバからの結果情報であるXML文書、HTML文書及びCSVデータ等のフォーマット化されたテキストデータから、アプリケーションサーバ上の各種サービス毎に設定された結果情報解析用リファレンスデータとの差分解析と、正規表現によるマッチングと、同じパターンで記述されたループ表現部分とを解析する。これにより、視聴者の嗜好や属性等に応じた各種コンテンツを得るために必要な情報を抽出し、該情報に対して出力用テンプレートに設定された分割および整形を行うことで、複雑なBML文書を前記結果情報に合わせて自動的に生成する。従って、本発明によれば、放送サービスから受信機を介して送信された情報は、インターネット上の各種サービスプロバイダに送信したのち、アプリケーションサーバで処理された結果情報を受け取って再び受信機に返信して所要のフォーマット変換を自動的に実行する。
【０００７】
請求項２記載の発明は、上記要求情報とデータ放送の操作プログラムを含んだ放送コンテンツを放送し、視聴者が該放送コンテンツ上で操作することで、放送コンテンツに含まれた要求情報が送信される請求項１記載のデジタル放送サービスシステムを提供する。
【０００８】
この構成によれば、コンテンツ取得要求に応じた要求情報は、放送コンテンツに含まれているので、放送コンテンツ上で視聴者が送信操作することにより、トランザクションサーバからアプリケーションサーバに前記要求情報が送信される。
【０００９】
請求項３記載の発明は、上記受信機は視聴者が情報を入力する入力手段を有し、上記データ放送の操作プログラムを含んだ放送コンテンツを受信し、視聴者の入力操作によりその入力情報に応じた要求情報が生成されて、上記トランザクションサーバへ送信される請求項１記載のデジタル放送サービスシステムを提供する。
【００１０】
この構成によれば、受信機は視聴者用の入力手段を有し、データ放送の操作プログラムを含んだ放送コンテンツを受信するので、コンテンツ取得要求に応じた要求情報を生成する際、視聴者は受信機の入力手段にて情報を入力操作することにより、該入力情報に応じた要求情報を生成してトランザクションサーバに送信する。
【発明の効果】
【００１１】
請求項１記載の発明は、放送サービスから受信機を介して送信された情報をインターネット上の各種サービスプロバイダへ送信し、処理の結果を受け取り再び受信機へ返す一連のインターフェース部分の、受信機とサービスプロバイダ間のフォーマット変換を自動にて実行できる。従って、インターネット上の様々なサービスを利用して、視聴者の嗜好等に応じたリッチな各種コンテンツとして自動的に配信でき、デジタル放送の様々な番組において容易かつ低コストで応用することができ、この場合、通信コンテンツ視聴時にデジタル放送を中断する必要はない。
【００１２】
請求項２記載の発明は、放送コンテンツ上で視聴者が操作することにより、コンテンツ取得要求に応じた要求情報をトランザクションサーバからアプリケーションサーバに送信できるので、請求項１記載の発明の効果に加えて、アプリケーションサーバへの要求情報の送信を簡易かつ即時に行うことができる。
【００１３】
請求項３記載の発明は、要求情報を生成して送信する際、視聴者は受信機の入力手段にて操作できるので、請求項１記載の発明の効果に加えて、要求情報の生成及び送信を一層容易に行うことができる。
【発明を実施するための最良の形態】
【００１４】
本発明は、インターネット接続手段を有し、放送波から取得したコンテンツだけでなくインターネット経由で通信から取得したコンテンツも提示することができ、且つ、各家庭等に設置されたデジタル放送用受信機と、該受信機からインターネット経由で送られたコンテンツ取得要求に対応してインターネット上で各種サービスを提供しているアプリケーションサーバへ前記コンテンツ取得要求に応じた要求情報を送信し、該要求情報に対して上記アプリケーションサーバにて処理された結果情報を取得し、該結果情報を用いて生成した情報を前記受信機に対して通信コンテンツとして提示することができるトランザクションサーバとから成るデジタル放送サービスシステムにおいて、前記受信機、前記トランザクションサーバ及び前記アプリケーションサーバ相互間の通信は、HTTP通信におけるPOST又はGETによるリクエストの送信とレスポンスの受信であり、前記トランザクションサーバは前記アプリケーションサーバ上のサービス毎に設定された結果情報解析用リファレンスデータと出力用テンプレートデータとを有し、前記アプリケーションサーバからの結果情報であるXML文書、HTML文書及びCSVデータ等のフォーマット化されたテキストデータから、前記結果情報解析用リファレンスデータとの差分解析と、正規表現によるマッチングと、同じパターンで記述されたループ表現部分とを解析することで必要な情報を抽出し、該情報に対して前記出力用テンプレートに設定された分割および整形を行い、複雑なBML文書を前記結果情報に合わせて自動的に生成することにより、放送画面を中断せずに、インターネット上の様々なサービスを利用して、視聴者の嗜好等に応じたコンテンツとして自動配信でき、且つ、各種番組にも容易に応用できるという目的を達成した。
【００１５】
本発明によるデジタル放送サービスシステムでは、インターネット上で各種コンピュータや携帯電話などに対して提供される各種サービスを利用するものであって、前記各種サービスをそれに応じた変換設定情報に基づいて通信コンテンツに自動的に変換し、インターネット接続手段を有するデジタル放送用受信機に前記通信コンテンツを提供する機能を具備させたものである。
【００１６】
本発明は、放送サービスから受信機を介してトランザクションサーバに所要の情報を送信し、更に、該情報をインターネット上の各種サービスプロバイダ（アプリケーションサーバ）へ送信して情報処理を行い、その処理結果をトランザクションサーバにて受け取り、再び受信機へ返す一連のインターフェース部分の、受信機とサービスプロバイダ間のフォーマット変換を自動にて即時実行することを特徴とする。
【実施例】
【００１７】
以下、図１乃至図７を参照して本発明によるデジタル放送システムの好適な実施の形態を詳細に説明する。この実施の形態は、インターネット接続手段を有し、放送波から取得したコンテンツだけでなくインターネット１０４経由で通信から取得したコンテンツも提示することができ、各家庭等に設置されたデジタル放送用受信機（以下、単に受信機という）１０２と、該受信機１０２からインターネット１０４経由で送られたコンテンツ取得要求に対応してインターネット１０４上で各種サービスを提供しているアプリケーションサーバ１０５へコンテンツ取得要求に応じた要求情報を送信するトランザクションサーバ１０３とを備えたデジタル放送サービスシステムに適用したものであり、該トランザクションサーバ１０３は前記要求情報に対してアプリケーションサーバ１０５にて処理された結果情報を取得し、該結果情報を用いて生成した情報を、前記受信機１０２に対して通信コンテンツとして提示する。
【００１８】
図１は本発明の実施の形態を説明する全体構成図である。同図において、１０１は放送局であって、該放送局１０１からはデジタル放送用受信機１０２に対してデータ放送ＢＭＬコンテンツが放送される。又、受信機１０２はインターネット１０４経由でアプリケーションサーバ１０５からの情報を含んだコンテンツをトランザクションサーバ１０３から取得し、提示することができる。尚、受信機１０２は視聴者１０６の自宅や事業所等にて「使用」されるが、前記「使用」には視聴者１０６が携帯型の受信機１０２を任意の場所に移動（携行）させて使用することも含まれる。
【００１９】
前記受信機１０２、トランザクションサーバ１０３及びアプリケーションサーバ１０５相互間の通信は、HTTP通信におけるPOST又はGETによるリクエストの送信とレスポンスの受信により行われる。又、前記トランザクションサーバ１０３は、アプリケーションサーバ１０５上のサービス毎に設定された結果情報解析用リファレンスデータと出力用テンプレートデータとを具備する。
【００２０】
更に、前記トランザクションサーバ１０３は、アプリケーションサーバからの結果情報であるXML文書、HTML文書及びCSVデータ等のフォーマット化されたテキストデータから、結果情報解析用リファレンスデータとの差分解析と、正規表現によるマッチングと、同じパターンで記述されたループ表現部分とを解析して必要な情報を抽出する。該抽出した情報に対して、出力用テンプレートに設定された分割および整形を行い、複雑なBML文書を結果情報に合わせて自動的に生成する。
【００２１】
本発明のデジタル放送サービスシステムは、上記要求情報とデータ放送の操作プログラムを含んだ放送コンテンツを放送し、視聴者１０６が放送コンテンツ上で操作することで、該放送コンテンツに含まれた要求情報が送信される。
【００２２】
又、受信機１０２は、視聴者１０６の操作によりデータ入力される入力手段を有し、データ放送の操作プログラムを含んだ放送コンテンツを受信し、視聴者１０６の入力操作によりその入力情報に応じた要求情報を生成して、これをトランザクションサーバ１０３に送信することができる。
＜第１の実施の形態（実施例１）＞
図２乃至図４を用いて、本発明によるデジタル放送サービスシステムのうち、上記請求項１および２の発明に係る第１の実施の形態を詳細に説明する。図２はアプリケーションサービスとして地図表示サービスを例示した本発明の第１の実施の形態における装置間の情報の流れを示す説明図、図３は第１の実施の形態におけるトランザクションサーバ１０３による処理を説明するフローチャート、図４は第１の実施の形態における受信機１０２の画面例を示す構成説明図である。
【００２３】
第１の実施の形態は、放送局１０１の情報番組において紹介された店舗の地図をインターネット１０４経由で受信機１０２に提示できるようにするために本発明を適用した例である。図２において、まず、放送局１０１からは番組としていくつかの店舗の情報が放送される（処理２０１）。次いで、放送されているいくつかの店舗の情報の中から現在放送中の店舗、あるいは、リモコン等の操作手段による視聴者１０６からの要望により、その中で特定の店舗について放送コンテンツに含まれた店舗Ｂの位置情報Ｂ’ が受信機１０２からトランザクションサーバ１０３へ送信される（処理２０２）。すると、トランザクションサーバ１０３はアプリケーションサーバ１０５へ位置情報Ｂ’ を送信する（処理２０３）。
【００２４】
而して、アプリケーションサーバ１０５は位置情報Ｂ’ から、対応する地図をトランザクションサーバ１０３へ送信し（処理２０４）、更に、トランザクションサーバ１０３は地図を提示するためのBML文書を生成し、受信機１０２へ送信する（処理２０５）。そして、受信機１０２は、受信したBML文書を視聴者１０６に提示することで、視聴者１０６は店舗Ｂの地図を閲覧することができる。
【００２５】
次に、図３を用いて本発明の第１の実施の形態におけるトランザクションサーバ１０３よる処理ステップの詳細を説明する。トランザクションサーバ１０３は、通常、受信機１０２からの接続要求に対して待機している。いま、受信機１０２からHTTP GETリクエスト処理により、演算処理プログラムに店舗Ｂの地図取得がリクエストされると（ステップ３０１）、トランザクションサーバ１０３はそのリクエストをアプリケーションサーバ１０５の接続要求仕様に基づいた形式に変換し（ステップ３０２）、その形で店舗Ｂの地図情報をアプリケーションサーバ１０５へリクエストする（ステップ３０３）。  
【００２６】
然る後、トランザクションサーバ１０３は、店舗Ｂの場所を含んだXML文書からなる地図データを、アプリケーションサーバ１０５から結果情報として受け取り（ステップ３０４）、取得した結果情報をあらかじめ当該アプリケーションサービスに対応して用意したリファレンス情報に基づいてループ処理部分を解析し（ステップ３０５）、上記リファレンス情報と結果情報との差分を抽出する（ステップ３０６）。
【００２７】
而して、差分抽出で差異が検出された部分に対して、リファレンスデータに設定された正規表現に基づいたマッチングを行い、BML生成に使用するテキストデータを抽出する（ステップ３０７）。更に、結果情報から抽出したテキストデータは、出力用テンプレートに設定された配置ルールに従い分割及び整形処理を行ったうえで（ステップ３０８）、出力用テンプレートにテキストデータを埋め込む形で、地図データを含んだBML文書を生成し（ステップ３０９）、その店舗Ｂの位置を含んだBML文書からなる地図データを受信機１０２に送信する（ステップ３１０）。
【００２８】
図４に、第１の実施の形態における受信機１０２の画面例を示す。図示の如く、放送コンテンツにはその番組中に紹介されるいくつかの店舗（ホテル等の宿を含む）の情報が掲載される。そのうちの店舗Ｂの情報が紹介されている画面の表示例を図４中の符号４０１で示す。ここで、視聴者１０６が店舗Ｂの地図を見たいときは、前記画面４０１上の「地図はこちら」を選択（クリック）することで、受信機１０２は店舗Ｂの地図情報をBML文書で取得し、提示する（図４中の符号４０２参照）。
【００２９】
尚、本実施例では、アプリケーションサーバ１０５からの地図情報の入手形態を、地図情報を含んだHTML文書として説明したが、XML文書やCSVデータと画像ファイルのセットといった、各種のフォーマット化されたテキストデータで同様の処理が可能なことは明白である。
＜第２の実施の形態（実施例２）＞  
次に、図５乃至図７を用いて、本発明によるデジタル放送サービスシステムのうち、前記請求項１、２および３の発明に係る実施の形態について詳細に説明する。図５はアプリケーションサービスとして地図表示サービスを例示した本発明の第２の実施の形態における装置間の情報の流れを示した図であり、図６は第２の実施の形態におけるトランザクションサーバ１０３による処理を説明するフローチャートであり、図７は第２の実施の形態における受信機１０２の画面例である。
【００３０】
本発明の第２の実施の形態は、放送局１０１の番組から視聴者１０６が任意に希望する地図の情報を、視聴者１０６による住所等のデータの入力操作により、インターネット１０４経由で受信機１０２に提示するものである。図５において、まず、放送局１０１からは番組として情報入力フォーム画面が放送される（処理５０１）。次いで、視聴者１０６が特定の住所や郵便番号といった位置情報を情報入力フォームに入力すると（処理５０２）、その位置情報が受信機１０２からトランザクションサーバ１０３へ送信される（処理５０３）。而して、トランザクションサーバ１０３は、アプリケーションサーバ１０５へ前記位置情報を送信する（処理５０４）。
【００３１】
然る後、アプリケーションサーバ１０５は前記位置情報から、これと対応する地図をトランザクションサーバ１０３へ送信し（処理５０５）、又、トランザクションサーバ１０３は地図を提示するためのBML文書を生成し、信機へ送信する（処理５０６）。斯くして、受信機１０２により、受信したBML文書が視聴者１０６に提示されることで、視聴者１０６は入力した位置の地図情報を閲覧することができる。
【００３２】
次に、図６を用いて本発明の第２の実施の形態におけるトランザクションサーバ１０３の処理ステップの詳細を説明する。トランザクションサーバ１０３は通常、受信機１０２からの接続要求に対して待機している。いま、受信機１０２からHTTP GETリクエスト処理により、演算処理プログラムに店舗Ｂの地図取得がリクエストされると（ステップ６０１）、前記トランザクションサーバ１０３は、そのリクエストをアプリケーションサーバ１０５の接続要求仕様に基づいた形式に変換し（ステップ６０２）、その形で入力された位置の地図情報をアプリケーションサーバ１０５に対してリクエストする（ステップ６０３）。
【００３３】
而して、トランザクションサーバ１０３は、入力された位置の場所を含んだXML文書からなる地図データを、アプリケーションサーバ１０５から結果情報として受け取り（ステップ６０４）、取得した結果情報をあらかじめ当該アプリケーションサービスに対応して用意したリファレンス情報に基づいてループ処理部分を解析し（ステップ６０５）、上記リファレンス情報と結果情報との差分を抽出する（ステップ６０６）。
【００３４】
この後、差分抽出で差異が検出された部分に対して、リファレンスデータに設定された正規表現に基づいたマッチングを行い、BML文書の生成に使用するテキストデータを抽出する（ステップ６０７）。更に、結果情報から抽出したテキストデータは、出力テンプレートに設定された配置ルールに従い分割及び整形処理を行ったうえで（ステップ６０８）、出力テンプレートにテキストデータを埋め込む形で、地図データを含んだBML文書を生成し（ステップ６０９）、入力された場所の位置を含んだBML文書からなる地図データを受信機１０２に送信する（ステップ６１０）。
【００３５】
図７に、本発明の第２の実施の形態における受信機１０２の画面例を示す。図７中の符号７０１に示すように、放送コンテンツには、視聴者１０６が情報を入力することができる項目が用意されている。ここで、視聴者１０６が特定の住所、郵便番号又は駅の地図を見たいときは、入力画面へデータ入力（クリックを含む）すると、受信機１０２はその位置の地図情報をBML文書で取得し、提示する（図７中の符号７０２を参照）。
【００３６】
尚、本実施例２では、アプリケーションサーバ１０５からの地図情報の入手形態を、地図情報を含んだHTML文書として説明したが、XML文書やCSVデータと画像ファイルのセットといった、各種のフォーマット化されたテキストデータで同様の処理が可能なことは明白である。
【００３７】
又、前記実施例１及び実施例２では、アプリケーションサーバ１０５が提供するアプリケーションとして、地図情報提供サービスを一例にして説明したが、本発明はこれに限定されず、例えば、インターネット１０４上で提供される検索サービスやニュース、天気、掲示板などといった各種サービスにも広く利用できることは明白である。
【００３８】
更に、前記実施例１及び実施例２では、アプリケーションサーバ１０５が提供する結果情報としてXML文書を一例に挙げて説明したが、HTML文書やCSVデータなどの整形されたテキスト情報であれば全て、本発明のデジタル放送サービスシステムを利用できることは明白である。
【００３９】
上述したように、トランザクションサーバ１０３は、放送サービスから受信機１０２を介して送信された情報を、インターネット１０４上の各種サービスプロバイダに送信し、情報処理の結果を受け取り再び受信機１０２へ返すことにより、一連のインターフェース部分における受信機１０２とサービスプロバイダ間の所望のフォーマット変換を自動的に実行することができる。従って、インターネット１０４上の様々なサービスを利用して、視聴者１０６の嗜好等に応じた各種コンテンツとして自動的に配信することができる。
【００４０】
即ち、本発明によれば、インターネット１０４上の様々なサービスを利用して自動的に視聴者１０６に応じたコンテンツとして配信でき、放送局１０１の各種番組にも広く応用することができるデジタル放送サービスシステムを安価かつ簡易に提供でき、従来に比べて、コンテンツ制作の簡略化、サービスの多様性及びユーザの利便性向上を図ることができる。
【００４１】
なお、本発明は、本発明の精神を逸脱しない限り種々の改変をなすことができ、そして、本発明が該改変されたものにも及ぶことは当然である。
【図面の簡単な説明】
【００４２】
【図１】本発明の実施の形態を説明する全体構成図。
【図２】本発明の第１の実施の形態における装置間の情報の流れを示す説明図。
【図３】本発明の第１の実施の形態におけるトランザクションサーバの処理フローチャート。
【図４】本発明の第１の実施の形態における受信機の画面例を示す構成説明図。
【図５】本発明の第２の実施の形態における装置間の情報の流れを示す説明図。
【図６】本発明の第２の実施の形態におけるトランザクションサーバの処理フローチャート。
【図７】本発明の第２の実施の形態における受信機の画面例を示す構成説明図。
【符号の説明】
【００４３】
１０１  放送局
１０２  デジタル放送用受信機
１０３  トランザクションサーバ
１０４  インターネット
１０５  アプリケーションサーバ
１０６  視聴者
【図２】
2008103799.tif 000003
【図３】
2008103799.tif 000004
【図４】
2008103799.tif 000005
【図５】
2008103799.tif 000006
【図６】
2008103799.tif 000007
【図７】
2008103799.tif 000008
【図１】
2008103799.tif 000009